(57)【特許請求の範囲】
【請求項１】
第１通路の第１側方に配置され、前記第１通路に対面する側面部を有した第１筐体と、
前記第１筐体の前記側面部に設けられ、指向方向を斜め上方に向けるとともに、前記指向方向の中心軸の延長線が、前記第１通路の隣に設けられる第２通路の幅方向の中心において前記第２通路の底面から２００ｃｍ以上の高さを通るように取り付けられる指向性の第１放音器と、
前記第１筐体の前記側面部に設けられ、前記第１放音器に比べて低い高さに向けられた指向性の第３放音器と、
前記第１通路の利用者の媒体から前記利用者の属性に関する情報を取得する読取部と、
前記読取部が取得する前記利用者の属性に関する情報に基づき、前記第１放音器および前記第３放音器のいずれかを選択して動作させる制御部と、
前記第１通路の第２側方に配置され、前記第１通路に対面する側面部を有した第２筐体と、を備え、
前記第３放音器の指向方向の中心軸は、前記第２筐体の前記側面部に向けられ、
前記第２筐体の前記側面部は、防音材を有する、
自動改札機。
【請求項２】
前記第１通路の第２側方に配置され、前記第１通路に対面する側面部を有した第２筐体と、
前記第２筐体の前記側面部に設けられ、指向方向を斜め上方に向けるとともに、前記指向方向の中心軸の延長線が、前記第２通路とは反対側で前記第１通路の隣に設けられる第３通路の幅方向の中心において前記第３通路の底面から２００ｃｍ以上の高さを通るように取り付けられる指向性の第２放音器と、
をさらに備える請求項１に記載の自動改札機。
【請求項３】
前記第１放音器は、複数の指向方向に放音可能であり、
前記制御部は、前記読取部が取得する前記利用者に関する情報に基づき、前記複数の指向方向から少なくとも一つの指向方向を選択して前記第１放音器を動作させる、
請求項１に記載の自動改札機。
【請求項４】
前記媒体は、前記利用者の身長に関する情報を登録可能な記憶部を有し、
前記読取部は、前記媒体の前記記憶部から前記利用者の身長に関する情報を取得し、
前記制御部は、前記読取部が取得する前記利用者の身長に関する情報に基づき、前記複数の指向方向から少なくとも一つの指向方向を選択して前記第１放音器を動作させる、
請求項３に記載の自動改札機。
【請求項５】
前記媒体は、案内の放音角度についての前記利用者の設定を登録可能な記憶部を有し、
前記読取部は、前記媒体の前記記憶部から前記利用者の前記設定に関する情報を取得し、
前記制御部は、前記読取部が取得する前記利用者の前記設定に関する情報に基づき、前記複数の指向方向から少なくとも一つの指向方向を選択して前記第１放音器を動作させる、
請求項３に記載の自動改札機。
【請求項６】
第１通路の第１側方に配置され、前記第１通路に対面する側面部を有した第１筐体と、
前記第１通路の第２側方に配置され、前記第１通路に対面する側面部を有した第２筐体と、
前記第１筐体の前記側面部に設けられ、指向方向を斜め上方に向けるとともに、前記第２筐体の前記側面部に向けて放音して前記第２筐体の前記側面部で音を反射させ、反射した音の指向方向の中心軸の延長線が、前記第１通路の隣に設けられる第２通路の幅方向の中心において前記第２通路の底面から２００ｃｍ以上の高さを通るように取り付けられる指向性の第１放音器と、
を備える自動改札機。
【発明の詳細な説明】
【技術分野】
【０００１】
本発明の実施形態は、自動改札機に関する。
【背景技術】
【０００２】
スピーカを備えた自動改札機が知られている。例えば、スピーカは、所定の条件を満たさない利用者が自動改札機に進入する場合に、通行不可であることを利用者に知らせる。
ところで、自動改札機のスピーカの音量は、安全面などの理由で比較的大きく設定される。そのため、スピーカからの音は、対象の利用者以外の利用者にも聞こえてしまう場合がある。その結果、通行可能の利用者が、隣の自動改札機の通行不可の案内を自分の結果として誤認識し、通行を躊躇う可能性がある。また、通行不可の利用者が、隣の自動改札機の通行可能の案内を誤認識し、自動改札機の奥までそのまま進入する可能性もある。このように従来の技術では、利用者の利便性が十分に満たされない場合があった。
【先行技術文献】
【特許文献】
【０００３】
【特許文献１】特開２００５−３２０９０号公報
【発明の概要】
【発明が解決しようとする課題】
【０００４】
本発明が解決しようとする課題は、利用者の利便性の向上を図ることができる自動改札機を提供することである。
【課題を解決するための手段】
【０００５】
実施形態の自動改札機は、第１筐体と、指向性の第１放音器と、第３放音器と、読取部と、制御部と、第２筐体とを持つ。前記第１筐体は、第１通路の第１側方に配置される。前記第１筐体は、前記第１通路に対面する側面部を有する。前記第１放音器は、前記第１筐体の前記側面部に設けられる。前記第１放音器は、指向方向を斜め上方に向けるとともに、前記指向方向の中心軸の延長線が、前記第１通路の隣に設けられる第２通路の幅方向の中心において前記第２通路の底面から２００ｃｍ以上の高さを通るように取り付けられる。第３放音器は、前記第１筐体の前記側面部に設けられ、前記第１放音器に比べて低い高さに向けられた指向性の放音器である。読取部は、前記第１通路の利用者の媒体から前記利用者の属性に関する情報を取得する。制御部は、前記読取部が取得する前記利用者の属性に関する情報に基づき、前記第１放音器および前記第３放音器のいずれかを選択して動作させる。第２筐体は、前記第１通路の第２側方に配置され、前記第１通路に対面する側面部を有する。第３放音器の指向方向の中心軸は、前記第２筐体の前記側面部に向けられている。第２筐体の前記側面部は、防音材を有する。
【図面の簡単な説明】
【０００６】
【図１】第１の実施形態の自動改札機を示す斜視図。
【図２】第１の実施形態の自動改札機のシステム構成の一部を示すブロック図。
【図３】第１の実施形態の自動改札機を示す正面図。
【図４】第１の実施形態の自動改札機を示す正面図。
【図５】第１の実施形態の自動改札機の第１機器を示す側面図。
【図６】第１の実施形態の自動改札機の一つの変形例を示す正面図。
【図７】第２の実施形態の自動改札機を示す正面図。
【図８】第２の実施形態の自動改札機のシステム構成の一部を示すブロック図。
【図９】第２の実施形態の自動改札機の制御フローの一例を示すフローチャート。
【図１０】第２の実施形態の自動改札機の一つの変形例を示す正面図。
【図１１】第３の実施形態の自動改札機を示す正面図。
【図１２】第４の実施形態の自動改札機を示す正面図。
【図１３】第４の実施形態の利用者の媒体を示す上面図。
【図１４】第４の実施形態の自動改札機の制御フローの一例を示すフローチャート。
【図１５】第５の実施形態の自動改札機を示す正面図。
【図１６】第６の実施形態の自動改札機を示す正面図。
【図１７】第７の実施形態の自動改札機を示す正面図。
【発明を実施するための形態】
【０００７】
以下、実施形態の自動改札機を、図面を参照して説明する。なお以下の説明では、略同じまたは類似の機能を有する構成に同一の符号を付す。そして、それらの重複する説明は省略する場合がある。
【０００８】
（第１の実施形態）
まず、図１から図５を参照して、第１の実施形態の自動改札機Ｇを説明する。
図１は、自動改札機Ｇの外観構成を示す。自動改札機Ｇは、例えば鉄道の駅に設置される。図１に示すように、自動改札機Ｇは、第１機器１と、第２機器２とを含む。第１機器１と第２機器２は、互いの間を離すとともに、互いに対向して配置される。第１機器１と第２機器２との間には、利用者（乗客）が通る通路Ｒ１が形成される。
【０００９】
本実施形態の自動改札機Ｇは、通路Ｒ１を第１方向Ａに通る利用者と、通路Ｒ１を第２方向Ｂに通る利用者の両方に対応するものである。詳しく述べると、自動改札機Ｇは、第１機器１と第２機器２とを一つのセットとして用いる。第１機器１は、通路Ｒ１を第１方向Ａに通る利用者に対して改札処理を行う。第２機器２は、通路Ｒ１を第２方向Ｂに通る利用者に対して改札処理を行う。
なお、本実施形態が適用可能な自動改札機Ｇは、上記例に限定されない。例えば、自動改札機Ｇは、一方向のみに利用者が通るものでもよい。
【００１０】
本実施形態では、第１機器１と第２機器２とは、制御部１０（後述）の有無を除いて互いに略同じである。そのため、以下ではまず、第１機器１について説明する。そして次に、第２機器２について第１機器１と異なる部分を中心に説明する。
【００１１】
図１に示すように、第１機器１は、第１筐体１１、磁気券投入口１２、磁気券排出口１３、磁気券処理部１４、ＩＣカードＩ／Ｆ（インターフェース）部１５、表示部１６、扉１７ａ，１７ｂ、第１スピーカ１８ａ，１８ｂ、第１ブザー１９、および制御部１０を備える。
【００１２】
第１筐体１１は、第１機器１の外郭を構成する。第１筐体１１は、通路Ｒ１の第１側方に配置される。第１筐体１１は、上面部１１ａと、側面部１１ｂとを有する。上面部１１ａは、上方に向いている。側面部１１ｂは、上面部１１ａの側縁から下方に向けて延びている。例えば、側面部１１ｂは、略鉛直方向に延びている。側面部１１ｂは、通路Ｒ１に対面する。
【００１３】
磁気券投入口１２および磁気券排出口１３は、第１筐体１１の上面部１１ａに設けられる。磁気券処理部１４は、第１筐体１１の内部に設けられる。利用者は、磁気券投入口１２に磁気券Ｋを投入可能である。磁気券投入口１２に投入された磁気券Ｋは、磁気券処理部１４によって情報が読み取られ、必要に応じて磁気券排出口１３から排出される。
磁気券Ｋは、「媒体（利用者の媒体）」の一例である。磁気券処理部１４は、利用者の媒体から情報を取得する読取部の一例である。
【００１４】
ＩＣカードＩ／Ｆ部１５は、第１筐体１１の上面部１１ａに設けられる。ＩＣカードＩ／Ｆ部１５は、ＩＣカードＣと通信可能なリーダライタを含む。
ＩＣカードＣは、「媒体（利用者の媒体）」の他の一例である。ＩＣカードＩ／Ｆ部１５は、利用者の媒体から情報を取得する読取部の他の一例である。
なお、ＩＣカードＩ／Ｆ部１５は、ＩＣカードＣに加えて、決済機能を持つ他の電子デバイスと通信可能でもよい。決済機能を持つ電子デバイスの一例は、携帯電話である。電子デバイスは、「媒体（利用者の媒体）」のさらに別の一例である。
【００１５】
表示部１６は、第１筐体１１の上面部１１ａに設けられる。表示部１６は、磁気券ＫまたはＩＣカードＣなどを処理した結果として得られる情報（チャージ残額など）を表示する。
【００１６】
扉１７ａ，１７ｂは、第１筐体１１の側面部１１ｂに設けられる。
一方の扉１７ａは、第２機器２の扉２７ａとセットで用いられる。扉１７ａは、第１方向Ａに移動する利用者が通行可能と判定された場合に開かれる。また、扉１７ａは、第１方向Ａに移動する利用者が通行不可と判定された場合に閉じられる。
同様に、他方の扉１７ｂは、第２機器２の扉２７ｂとセットで用いられる。扉１７ｂは、第２方向Ｂに移動する利用者が通行可能と判定された場合に開かれる。また、扉１７ｂは、第２方向Ｂに移動する利用者が通行不可と判定された場合に閉じられる。
【００１７】
ここで、通路Ｒ１は、第１通路口Ｐ１と、第２通路口Ｐ２とを有する。第１通路口Ｐ１は、第１機器１の扉１７ｂと第２機器２の扉２７ｂとによって開閉される自動改札機Ｇの出入口である。第２通路口Ｐ２は、第１通路口Ｐ１とは反対側の出入口である。すなわち、第２通路口Ｐ２は、第１機器１の扉１７ａと第２機器２の扉２７ａとによって開閉される自動改札機Ｇの出入口である。
【００１８】
図１に示すように、第１スピーカ１８ａ，１８ｂは、第１筐体１１の側面部１１ｂに設けられる。第１スピーカ１８ａ，１８ｂの各々は、「第１放音器」の一例である。
【００１９】
一方の第１スピーカ１８ａは、第１筐体１１の第１方向Ａの中央部に比べて、第１通路口Ｐ１の近くに配置される。第１スピーカ１８ａは、第１方向Ａに移動する利用者が通行可能と判定された場合に、音による第１案内を出力する。第１案内は、通行可能に対応して任意に設定される音声案内である。なお、本願でいう「音声案内」とは、言語による案内に限定されず、電子的な応答音を含む意味で用いられる。例えば、第１案内は、「ピッ」と音が鳴るビープ音でもよい。
また、第１スピーカ１８ａは、第１方向Ａに移動する利用者が通行不可と判定された場合に、音による第２案内を出力する。第２案内は、通行不可に対応して任意に設定される音声案内である。例えば、第２案内は、「ピー」と音が鳴るビープ音でもよい。
【００２０】
他方の第１スピーカ１８ｂは、第１筐体１１の第１方向Ａの中央部に比べて、第２通路口Ｐ２の近くに配置される。第１スピーカ１８ｂは、第２方向Ｂに移動する利用者が通行可能と判定された場合に、前記第１案内を出力する。また、第１スピーカ１８ｂは、第２方向Ｂに移動する利用者が通行不可と判定された場合に、前記第２案内を出力する。
【００２１】
図１に示すように、第１ブザー１９は、第１筐体１１の側面部１１ｂに設けられる。例えば、第１ブザー１９は、第１筐体１１の第１方向Ａの中央部に比べて、第２通路口Ｐ２の近くに配置される。第１ブザー１９は、所定の条件が満たされる場合に、音による第３案内を出力する。例えば、第１ブザー１９は、第１方向Ａに移動する利用者が通行不可と判定された場合に、音による第３案内を出力する。第３案内は、通行不可であることを知らせるブザー音である。
【００２２】
制御部１０は、第１筐体１１内に設けられる。例えば、制御部１０は、ＣＰＵ１０ａを含む制御基板（制御回路）によって形成される。例えば、制御部１０は、第１機器１のみに設けられる。制御部１０は、ケーブル（不図示）を介して第２機器２に電気的に接続される。これにより、制御部１０は、第１機器１および第２機器２を統括的に制御する。なお、制御部１０による制御の詳細は、後述する。
【００２３】
次に、第２機器２について説明する。
なお、第１機器１と略同じまたは類似の機能を有する構成には、同一の符号を付す。そしてそれらの重複する説明は省略する。
第２機器２は、第２筐体２１、磁気券投入口１２、磁気券排出口１３、磁気券処理部１４、ＩＣカードＩ／Ｆ部１５、表示部１６、扉２７ａ，２７ｂ、第２スピーカ２８ａ，２８ｂ、および第２ブザー２９を備える。
【００２４】
第２筐体２１は、第２機器２の外郭を構成する。第２筐体２１は、通路Ｒ１の第２側方に配置される。第２筐体２１は、上面部２１ａと、側面部２１ｂとを有する。上面部２１ａは、上方に向いている。側面部２１ｂは、上面部２１ａの側縁から下方に向けて延びている。例えば、側面部２１ｂは、略鉛直方向に延びている。側面部２１ｂは、通路Ｒ１に対面する。第２筐体２１の側面部２１ｂは、通路Ｒ１に対して、第１筐体１１の側面部１１ｂとは反対側に位置する。言い換えると、第１筐体１１の側面部１１ｂと第２筐体２１の側面部２１ｂとによって通路Ｒ１が規定される。
【００２５】
磁気券投入口１２、磁気券排出口１３、ＩＣカードＩ／Ｆ部１５、および表示部１６は、第２筐体２１の上面部２１ａに設けられる。磁気券処理部１４は、第２筐体２１の内部に設けられる。扉２７ａ，２７ｂは、第２筐体２１の側面部２１ｂに設けられる。
【００２６】
図１に示すように、第２スピーカ２８ａ，２８ｂは、第２筐体２１の側面部２１ｂに設けられる。第２スピーカ２８ａ，２８ｂの各々は、「第２放音器」の一例である。
【００２７】
一方の第２スピーカ２８ａは、第２筐体２１の第１方向Ａの中央部に比べて、第１通路口Ｐ１の近くに配置される。第２スピーカ２８ａは、第１機器１の第１スピーカ１８ａとセットで用いられる。すなわち、第２スピーカ２８ａは、第１スピーカ１８ａと略同時に、前記第１案内または前記第２案内を出力する。
他方の第２スピーカ２８ｂは、第２筐体２１の第１方向Ａの中央部に比べて、第２通路口Ｐ２の近くに配置される。第２スピーカ２８ｂは、第１機器１の第１スピーカ１８ｂとセットで用いられる。すなわち、第２スピーカ２８ｂは、第１スピーカ１８ｂと略同時に、前記第１案内または前記第２案内を出力する。
【００２８】
図１に示すように、第２ブザー２９は、第２筐体２１の側面部２１ｂに設けられる。例えば、第２ブザー２９は、第２筐体２１の第１方向Ａの中央部に比べて、第１通路口Ｐ１の近くに配置される。第２ブザー２９は、所定の条件が満たされる場合に、前記第３案内を出力する。例えば、第２ブザー２９は、第２方向Ｂに移動する利用者が通行不可と判定された場合に、前記第３案内を出力する。
【００２９】
次に、自動改札機Ｇのシステム構成について説明する。
図２は、自動改札機Ｇのシステム構成の一部を示す。図２に示すように、自動改札機Ｇは、上述した構成に加えて、メモリ３１、ドア制御部３２、人間検知部３３、および通信制御部３４を有する。
【００３０】
メモリ３１は、例えば、磁気券ＫまたはＩＣカードＣなどの処理に必要な種々の情報を記憶する。例えば、メモリ３１は、鉄道の料金テーブルを格納する。例えば、メモリ３１は、半導体メモリを含むメモリデバイスによって形成される。
ドア制御部３２は、扉１７ａ，１７ｂ，２７ａ，２７ｂを開閉する。例えば、ドア制御部３２は、扉１７ａ，１７ｂ，２７ａ，２７ｂを開閉する駆動部（例えばモータ）と、前記駆動部を制御する制御回路とを含む。
【００３１】
人間検知部３３は、自動改札機Ｇに進入しようとする利用者の存在を検知する。例えば、人間検知部３３は、第１機器１、第２機器２、または通路Ｒ１の底面Ｒ１ａ（図１参照）に設けられるセンサである。例えば、センサは、人感センサである。なお、センサの種類は、特に限定されない。
通信制御部３４は、上位システム（例えば駅のサーバ）と通信可能である。例えば、通信制御部３４は、通信制御回路によって形成される。
【００３２】
次に、制御部１０について説明する。
制御部１０は、上述したメモリ３１、ドア制御部３２，人間検知部３３、通信制御部３４、磁気券処理部１４、ＩＣカードＩ／Ｆ部１５，第１スピーカ１８ａ，１８ｂ、第２スピーカ２８ａ，２８ｂ、第１ブザー１９、および第２ブザー２９を統括的に制御する。
【００３３】
制御部１０は、利用者の通行の可否を判定する判定部１０ｂを含む。例えば、判定部１０ｂは、磁気券処理部１４またはＩＣカードＩ／Ｆ部１５が取得する情報と、メモリ３１に記憶された情報（例えば料金テーブル）とに基づき、利用者の入場または出場の演算処理を行う。例えば、判定部１０ｂは、前記演算処理の結果が所定の条件を満たす場合に、利用者に対して通行可能の判定を行う。一方で、判定部１０ｂは、前記演算処理の結果が所定の条件を満たさない場合に、利用者に対して通行不可の判定を行う。
【００３４】
制御部１０は、第１方向Ａに移動する利用者に対して通行可能と判定する場合に、ドア制御部３２を制御して扉１７ａ，２７ａを開く。また制御部１０は、第１スピーカ１８ａおよび第２スピーカ２８ａを通じて、通行可能を表す前記第１案内を出力する。
一方で、制御部１０は、第１方向Ａに移動する利用者に対して通行不可と判定する場合に、ドア制御部３２を制御して扉１７ａ，２７ａを閉じる。また制御部１０は、第１スピーカ１８ａおよび第２スピーカ２８ａを通じて、通行不可を表す前記第２案内を出力する。さらに、制御部１０は、必要に応じて、第１ブザー１９を通じて通行不可を表す前記第３案内を出力する。
また、制御部１０は、第２方向Ｂに移動する利用者に対しては、扉１７ｂ，２７ｂ、第１スピーカ１８ｂ、第２スピーカ２８ｂ、および第２ブザー２９を用いて上記と略同じ動作を行う。
【００３５】
図３は、自動改札機Ｇの設置状態を示す。図３に示すように、上述した自動改札機Ｇは、複数並べて設置される。
【００３６】
なお、以下の説明では、説明の対象となる自動改札機Ｇの通路を、「第１通路Ｒ１」と称する。また、自動改札機Ｇの一方の隣の自動改札機Ｇの通路を、「第２通路Ｒ２」と称する。すなわち、第２通路Ｒ２は、第１通路Ｒ１の隣に設けられる通路である。また、自動改札機Ｇの他方の隣の自動改札機Ｇの通路を、「第３通路Ｒ３」と称する。すなわち、第３通路Ｒ３は、第２通路Ｒ２とは反対側で第１通路Ｒ１の隣に設けられる通路である。
また本願では、第１方向Ａおよび第２方向Ｂとは略直交した方向を「幅方向」と称する。すなわち、「幅方向」とは、複数の自動改札機Ｇが並べられる方向である。
【００３７】
次に、第１スピーカ１８ａ，１８ｂおよび第２スピーカ２８ａ，２８ｂの設置構造について詳しく説明する。なお上述したように、本実施形態では、一方の第１スピーカ１８ａと一方の第２スピーカ２８ａとが一つのセットとして用いられる。また、他方の第１スピーカ１８ｂと他方の第２スピーカ２８ｂとが一つのセットとして用いられる。これらのセットの構成および機能は、互いに略同じである。そのため以下では、第１スピーカ１８ａと第２スピーカ２８ａとのセットを代表して説明する。また以下では、第１スピーカ１８ａと第１スピーカ１８ｂとを区別しない場合は、単に第１スピーカ１８と称する。また、第２スピーカ２８ａと第２スピーカ２８ｂとを区別しない場合は、単に第２スピーカ２８と称する。
【００３８】
図３および図４は、第１スピーカ１８および第２スピーカ２８の設置構造を示す。
本実施形態の第１スピーカ１８および第２スピーカ２８の各々は、指向性スピーカである。すなわち、第１スピーカ１８および第２スピーカ２８は、特定の角度範囲（指向方向Ｄ１，Ｄ２）に比較的強い音を出力することができるとともに、前記角度範囲から外れる方向では音が聞こえにくいスピーカである。
【００３９】
ここで、本願でいう「指向方向の中心軸」とは、指向方向の中心を通る仮想的な軸線である。例えば、この軸線は、スピーカのコーン（振動板）の中心線に一致する。
また、「指向方向の中心軸の延長線」とは、前記中心軸をスピーカの放音方向に直線状に延長した仮想線である。例えば、「指向方向の中心軸の延長線」は、スピーカを中心とした仮想球面上において最も大きな音が測定される位置と、スピーカとを結ぶ直線を、スピーカの放音方向に延長した仮想線である。
【００４０】
図３に示すように、第１スピーカ１８および第２スピーカ２８は、指向方向Ｄ１，Ｄ２を斜め上方に向けて取り付けられる。すなわち、第１スピーカ１８および第２スピーカ２８は、指向方向Ｄ１，Ｄ２を第１通路Ｒ１の上方に向けている。例えば、第１スピーカ１８および第２スピーカ２８は、平均的な身長の大人の頭部の高さに音が届くように傾けて取り付けられる。具体的には、第１スピーカ１８および第２スピーカ２８は、指向方向Ｄ１，Ｄ２の中心軸Ｄ１ａ，Ｄ１ｂの延長線Ｄ１ｅ，Ｄ２ｅが、第１通路Ｒ１の幅方向の中心において第１通路Ｒ１の底面Ｒ１ａから、１５５ｃｍから１７５ｃｍの間の高さを通るように傾けて取り付けられる。なお、第１スピーカ１８および第２スピーカ２８の放音角度は、上記例に限定されない。
【００４１】
さらに、本実施形態の第１スピーカ１８は、以下の条件も満たすように配置される。
すなわち図４に示すように、第１スピーカ１８は、指向方向Ｄ１の中心軸Ｄ１ａの延長線Ｄ１ｅが、第１通路Ｒ１の隣に設けられる第２通路Ｒ２の幅方向の中心において、第２通路Ｒ２の底面Ｒ２ａから２００ｃｍ以上の高さを通るように傾けて取り付けられる。なお、図中の符号Ｈは、２００ｃｍの高さを示す。
【００４２】
同様に、本実施形態の第２スピーカ２８は、以下の条件も満たすように配置される。
すなわち、第２スピーカ２８は、指向方向Ｄ２の中心軸Ｄ２ａの延長線Ｄ２ｅが、第２通路Ｒ２とは反対側で第１通路Ｒ１の隣に設けられる第３通路Ｒ３の幅方向の中心において、第３通路Ｒ３の底面Ｒ３ａから２００ｃｍ以上の高さを通るように傾けて取り付けられる。
【００４３】
図５は、第１機器１の側面図を示す。図５に示すように、本実施形態の第１スピーカ１８は、第１方向Ａおよび第２方向Ｂには傾けられていない。第１スピーカ１８の指向方向Ｄ１の中心軸Ｄ１ａの延長線Ｄ１ｅは、図５中において略鉛直方向に延びている。すなわち、第１スピーカ１８の指向方向Ｄ１の中心軸Ｄ１ａの延長線Ｄ１ｅは、第１方向Ａおよび第２方向Ｂに対して略直交する方向に延びている。
同様に、第２スピーカ２８は、第１スピーカ１８と同様に、第１方向Ａおよび第２方向Ｂには傾けられていない。第２スピーカ２８の指向方向Ｄ２の中心軸Ｄ２ａの延長線Ｄ２ｅは、第１方向Ａおよび第２方向Ｂに対して略直交する方向に延びている。
【００４４】
なおこれに代えて、第１スピーカ１８および第２スピーカ２８は、第１方向Ａまたは第２方向Ｂに傾けられてもよい。例えば、第１通路口Ｐ１の近くに配置される第１スピーカ１８ａおよび第２スピーカ２８ａは、指向方向Ｄ１，Ｄ２の中心軸Ｄ１ａ，Ｄ２ａを、第２通路口Ｐ２側に傾けて取り付けられてもよい。また、第２通路口Ｐ２の近くに配置される第１スピーカ１８ｂおよび第２スピーカ２８ｂは、指向方向Ｄ１，Ｄ２の中心軸Ｄ１ａ，Ｄ２ａを、第１通路口Ｐ１側に傾けて取り付けられてもよい。
【００４５】
次に、第１スピーカ１８および第２スピーカ２８の作用について説明する。
まず、平均的な身長の大人が自動改札機Ｇを通る場合を考える。
図３に示すように、第１スピーカ１８および第２スピーカ２８は、第１通路Ｒ１において、平均的な身長の大人の頭部の高さに音が届くように傾けて取り付けられる。このため、第１通路Ｒ１を通る利用者には、第１スピーカ１８および第２スピーカ２８からの音がよく聞こえる。
【００４６】
一方で、第１スピーカ１８および第２スピーカ２８の指向方向Ｄ１，Ｄ２の中心軸Ｄ１ａ，Ｄ２ａの延長線Ｄ１ｅ，Ｄ２ｅは、第２通路Ｒ２および第３通路Ｒ３の底面Ｒ２ａ，Ｒ３ａに対して２００ｃｍ以上の高さを通る。すなわち、第１スピーカ１８および第２スピーカ２８の指向方向Ｄ１，Ｄ２の中心軸Ｄ１ａ，Ｄ２ａの延長線Ｄ１ｅ，Ｄ２ｅは、第２通路Ｒ２および第３通路Ｒ３において、平均的な身長の大人の頭部よりも上方を通る。このため、第１スピーカ１８および第２スピーカ２８からの音は、第２通路Ｒ２および第３通路Ｒ３を通る利用者には聞こえにくい。このため、自動改札機Ｇの利用者は、自分に対する案内だけがよく聞こえる。
【００４７】
次に、背の低い子供または車椅子利用者が自動改札機Ｇを通る場合を考える。
図３に示すように、第１スピーカ１８および第２スピーカ２８は、第１筐体１１および第２筐体２１の側面部１１ｂ，２１ｂに設けられる。このため、第１スピーカ１８および第２スピーカ２８は、多くの子供および車椅子利用者の頭部よりも下方に位置する。そして、第１スピーカ１８および第２スピーカ２８は、斜め上方に向けて放音する。
【００４８】
ここで、本実施形態の第１スピーカ１８および第２スピーカ２８の指向方向Ｄ１，Ｄ２の中心軸Ｄ１ａ，Ｄ２ａは、子供および車椅子利用者の頭部の高さには直接には向いていない。ただし、第１スピーカ１８および第２スピーカ２８の指向方向Ｄ１，Ｄ２は、指向方向Ｄ１，Ｄ２の中心軸Ｄ１ａ，Ｄ２ａを中心とした一定の角度範囲を含む。このため、第１スピーカ１８および第２スピーカ２８からの音は、第１通路Ｒ１を通る子供および車椅子利用者には十分によく聞こえる。
【００４９】
一方で、第１スピーカ１８および第２スピーカ２８からの音は、指向方向Ｄ１，Ｄ２の中心軸Ｄ１ａ，Ｄ２ａから外れる方向では、スピーカから距離が離れるに従い大きく減衰する。このため、指向方向Ｄ１，Ｄ２の中心軸Ｄ１ａ，Ｄ２ａから外れる方向の音は、第１通路Ｒ１の利用者には聞こえるものの、第２通路Ｒ２および第３通路Ｒ３の利用者には聞こえにくい。このため、第２通路Ｒ２および第３通路Ｒ３の利用者が、第１スピーカ１８および第２スピーカ２８からの音を誤認識することを抑制することができる。
【００５０】
次に、平均的な身長よりも背が高い大人の利用者について考える。
上述したように、第１スピーカ１８および第２スピーカ２８の指向方向Ｄ１，Ｄ２は、一定の程度の角度範囲を含む。また、第１スピーカ１８および第２スピーカ２８は、斜め上方に向けて放音する。このため、第１スピーカ１８および第２スピーカ２８からの音は、背の高い利用者にも十分によく聞こえやすい。また、第１スピーカ１８および第２スピーカ２８から背の高い利用者に向かう音は、第２通路Ｒ２および第３通路Ｒ３の底面Ｒ２ａ，Ｒ３ａに対して２００ｃｍ以上の高さを通る。このため、第１スピーカ１８および第２スピーカ２８からの音は、第２通路Ｒ２および第３通路Ｒ３を通る利用者には聞こえにくい。
【００５１】
このような構成の自動改札機Ｇによれば、利用者の利便性の向上を図ることができる。
すなわち、自動改札機のスピーカの音量は、安全面などの理由で比較的大きく設定されることが多い。そのため、スピーカからの音は、対象の利用者以外の利用者にも聞こえてしまう場合がある。その結果、自動改札機の利用者が、隣の自動改札機の案内を自分の結果として誤認識してしまう可能性がある。例えば、利用者が隣の自動改札機の通行不可の案内を誤認識して通行を躊躇うと、自動改札機の入出場の流れが悪くなる場合がある。
【００５２】
そこで、本実施形態の自動改札機Ｇは、第１筐体１１と、指向性の第１スピーカ１８とを備える。第１筐体１１は、第１通路Ｒ１の第１側方に配置される。第１筐体１１は、第１通路Ｒ１に対面する側面部１１ｂを有する。第１スピーカ１８は、第１筐体１１の側面部１１ｂに設けられ、指向方向Ｄ１を斜め上方に向ける。第１スピーカ１８は、指向方向Ｄ１の中心軸Ｄ１ａの延長線Ｄ１ｅが、第１通路Ｒ１の隣に設けられる第２通路Ｒ２の幅方向の中心において第２通路Ｒ２の底面Ｒ２ａから２００ｃｍ以上の高さを通るように傾けて取り付けられる。
【００５３】
このような構成によれば、自動改札機Ｇの利用者には、隣の自動改札機Ｇのスピーカからの音が聞こえにくい。このため、自動改札機Ｇの利用者は、自分に対する案内だけがよく聞こえる。これにより、自動改札機Ｇの利用者が隣の自動改札機Ｇの案内を自分の結果として誤認識してしまうことを抑制することができる。例えば、自動改札機Ｇの利用者の誤認識を抑制することができると、自動改札機Ｇの入出場の流れが悪くなることを避けることができる。これにより、自動改札機Ｇの利用者の利便性の向上を図ることができる。
【００５４】
また上記構成によれば、第１筐体１１の側面部１１ｂに設けられた第１スピーカ１８から斜め上方に向けて音が放出される。このため、平均的な身長の大人に加えて、背が低い子供や車椅子利用者にも第１スピーカ１８からの音が聞こえやすい。また、グローバル化が進んだことで増加傾向にある背の高い利用客にも第１スピーカ１８からの音が聞こえやすい。このため、自動改札機Ｇの利用者の利便性がさらに向上する。
【００５５】
さらに、本実施形態の自動改札機Ｇは、第２筐体２１と、指向性の第２スピーカ２８とを備える。第２筐体２１は、第１通路Ｒ１の第２側方に配置される。第２筐体２１は、第１通路Ｒ１に対面する側面部２１ｂを有する。第２スピーカ２８は、第２筐体２１の側面部２１ｂに設けられ、指向方向Ｄ２を斜め上方に向ける。第２スピーカ２８は、指向方向Ｄ２の中心軸Ｄ２ａの延長線Ｄ２ｅが、第２通路Ｒ２とは反対側で第１通路Ｒ１の隣に設けられる第３通路Ｒ３の幅方向の中心において第３通路Ｒ３の底面Ｒ３ａから２００ｃｍ以上の高さを通るように傾けて取り付けられる。
【００５６】
このような構成によれば、自動改札機Ｇの利用者には、第１スピーカ１８と第２スピーカ２８とによって両側から案内が出力される。このため、第１スピーカ１８の指向方向Ｄ１および第２スピーカ２８の指向方向Ｄ２を比較的急な角度で斜め上方に向けても、利用者には案内が聞こえやすい。
第１スピーカ１８の指向方向Ｄ１および第２スピーカ２８の指向方向Ｄ２を比較的急な角度で斜め上方に向けることができると、第１スピーカ１８および第２スピーカ２８からの音は、第２通路Ｒ２および第３通路Ｒ３を通る利用者にはさらに聞こえにくくなる。これにより、自動改札機Ｇの利用者の利便性のさらなる向上を図ることができる。
【００５７】
（第１実施形態の変形例）
次に、図６を参照して、第１実施形態の一つの変形例について説明する。
本変形例は、第１スピーカ１８および第２スピーカ２８が第１の実施形態よりも低い位置に配置される点で、第１の実施形態とは異なる。なお、本変形例のその他の構成は、第１の実施形態の構成と同様である。そのため、第１の実施形態と同様の部分の説明は省略する。
【００５８】
図６は、本変形例の自動改札機Ｇを示す。図６に示すように、第１スピーカ１８および第２スピーカ２８は、扉１７ａ，１７ｂ，２７ａ，２７ｂよりも下方に配置される。
また、別の観点では、第１スピーカ１８および第２スピーカ２８は、制御部１０よりも下方に配置される。例えば、第１スピーカ１８および第２スピーカ２８は、制御部１０のＣＰＵ１０ａよりも下方に配置される。
【００５９】
なお、第１スピーカ１８および第２スピーカ２８は、第１の実施形態と同様に、第１通路Ｒ１を通る平均的な身長の大人の頭部の高さに音が届くように傾けて取り付けられる。また第１スピーカ１８および第２スピーカ２８は、第１の実施形態と同様に、指向方向Ｄ１，Ｄ２の中心軸Ｄ１ａ，Ｄ２ａの延長線Ｄ１ｅ，Ｄ１ｅが、第２通路Ｒ２または第３通路Ｒ３の底面Ｒ２ａ，Ｒ３ａに対して２００ｃｍ以上の高さを通るように傾けて配置される。
【００６０】
このような構成によれば、第１の実施形態よりもさらに低い位置から上方に向けて音が放出される。このため、背が低い子供などがさらに音を聞き取りやすくなる。これにより、自動改札機Ｇの利用者の利便性のさらなる向上を図ることができる。
【００６１】
（第２実施形態）
次に、図７から図９を参照して、第２実施形態の自動改札機Ｇについて説明する。
本実施形態は、第３スピーカ４１ａ，４１ｂおよび第４スピーカ４２ａ，４２ｂが設けられる点で、第１の実施形態とは異なる。なお、本実施形態のその他の構成は、第１の実施形態の構成と同様である。そのため、第１の実施形態と同様の部分の説明は省略する。
【００６２】
図７は、本実施形態の自動改札機Ｇを示す。図７に示すように、本実施形態の自動改札機Ｇは、第１の実施形態の構成に加え、第３スピーカ４１ａ，４１ｂおよび第４スピーカ４２ａ，４２ｂを有する。
【００６３】
詳しく述べると、第３スピーカ４１ａ，４１ｂは、第１筐体１１の側面部１１ｂに設けられる。第３スピーカ４１ａ，４１ｂの各々は、「第３放音器」の一例である。
【００６４】
一方の第３スピーカ４１ａは、第１筐体１１の第１方向Ａの中央部に比べて、第１通路口Ｐ１の近くに配置される。第３スピーカ４１ａは、第１スピーカ１８ａと選択的に使用される。すなわち、第３スピーカ４１ａは、第１方向Ａに移動する利用者に対して、前記第１案内または前記第２案内を出力する。
他方の第３スピーカ４１ｂは、第１筐体１１の第１方向Ａの中央部に比べて、第２通路口Ｐ２の近くに配置される。第３スピーカ４１ｂは、第１スピーカ１８ｂと選択的に使用される。すなわち、第３スピーカ４１ｂは、第２方向Ｂに移動する利用者に対して、前記第１案内または前記第２案内を出力する。なお以下では、第３スピーカ４１ａと第３スピーカ４１ｂとを区別しない場合は、単に第３スピーカ４１と称する。
【００６５】
同様に、第４スピーカ４２ａ，４２ｂは、第２筐体２１の側面部２１ｂに設けられる。第４スピーカ４２ａ，４２ｂの各々は、「第４放音器」の一例である。
【００６６】
一方の第４スピーカ４２ａは、第２筐体２１の第１方向Ａの中央部に比べて、第１通路口Ｐ１の近くに配置される。第４スピーカ４２ａは、第２スピーカ２８ａと選択的に使用される。第４スピーカ４２ａは、第３スピーカ４１ａとセットで用いられる。すなわち、第４スピーカ４２ａは、第１方向Ａに移動する利用者に対して、第３スピーカ４１ａと略同時に、前記第１案内または前記第２案内を出力する。
他方の第４スピーカ４２ｂは、第２筐体２１の第１方向Ａの中央部に比べて、第２通路口Ｐ２の近くに配置される。第４スピーカ４２ｂは、第２スピーカ２８ｂと選択的に使用される。第４スピーカ４２ｂは、第３スピーカ４１ｂとセットで用いられる。すなわち、第４スピーカ４２ｂは、第２方向Ｂに移動する利用者に対して、第３スピーカ４１ｂと略同時に、前記第１案内または前記第２案内を出力する。なお以下では、第４スピーカ４２ａと第４スピーカ４２ｂとを区別しない場合は、単に第４スピーカ４２と称する。
【００６７】
第３スピーカ４１および第４スピーカ４２の各々は、第１スピーカ１８および第２スピーカ２８と同様に、指向性スピーカである。
図７に示すように、第３スピーカ４１および第４スピーカ４２は、指向方向Ｄ３，Ｄ４を斜め上方に向けて取り付けられる。すなわち、第３スピーカ４１および第４スピーカ４２は、指向方向Ｄ３，Ｄ４を第１通路Ｒ１の上方に向けて取り付けられる。ただし、第３スピーカ４１および第４スピーカ４２は、第１スピーカ１８および第２スピーカ２８に比べて低い高さに向けられている。
【００６８】
なお、本実施形態の第３スピーカ４１および第４スピーカ４２は、以下の条件も満たすように配置される。
すなわち、第３スピーカ４１は、指向方向Ｄ３の中心軸Ｄ３ａの延長線Ｄ３ｅが、第２通路Ｒ２の幅方向の中心において、第２通路Ｒ２の底面Ｒ２ａから２００ｃｍ以上の高さを通るように傾けて取り付けられる。
同様に、第４スピーカ４２は、指向方向Ｄ４の中心軸Ｄ４ａの延長線Ｄ４ｅが、第３通路Ｒ３の幅方向の中心において、第３通路Ｒ３の底面Ｒ３ａから２００ｃｍ以上の高さを通るように傾けて取り付けられる。
【００６９】
次に、本実施形態の自動改札機Ｇのシステム構成について説明する。
図８は、自動改札機Ｇのシステム構成の一部を示す。図８に示すように、自動改札機Ｇは、磁気券処理部１４、ＩＣカードＩ／Ｆ部１５、制御部１０、第１から第４のスピーカ１８，２８，４１，４２を有する。
【００７０】
ここで、利用者の媒体（例えば磁気券ＫまたはＩＣカードＣ）には、利用者の属性に関する情報が記録されている。例えば、利用者の属性に関する情報は、大人料金の対象者か、または小児料金の対象者であるかを判定可能な情報である。
磁気券処理部１４またはＩＣカードＩ／Ｆ部１５は、利用者の媒体から利用者の属性に関する情報を取得する。
【００７１】
制御部１０の判定部１０ｂは、磁気券処理部１４またはＩＣカードＩ／Ｆ部１５が取得する情報に基づき、利用者の属性を判定する。制御部１０は、判定部１０ｂの判定結果に基づき、第１スピーカ１８と第２スピーカ２８のセット、および、第３スピーカ４１と第４スピーカ４２のセットのいずれかのセットを選択して動作させる。
【００７２】
以下に、本実施形態の制御フローを詳しく説明する。
図９は、本実施形態の制御フローの一例を示す。図９に示すように、まず、磁気券処理部１４またはＩＣカードＩ／Ｆ部１５が、利用者の媒体から利用者の属性に関する情報を取得する（ステップＳ１１）。次に、判定部１０ｂは、磁気券処理部１４またはＩＣカードＩ／Ｆ部１５が取得する利用者の属性に関する情報が所定の条件を満たすか否を確認する（ステップＳ１２）。例えば、判定部１０ｂは、利用者の属性に関する情報が、第１属性（例えば大人）に属する条件を満たすか、または第２属性（例えば子供）に属する条件を満たすかを判定する。
【００７３】
制御部１０は、判定部１０ｂの判定結果に基づき、利用者が第１属性に属すると判定された場合（ステップＳ１２：ＹＥＳ）、第１スピーカ１８および第２スピーカ２８を動作させる（ステップＳ１３）。
一方で、制御部１０は、判定部１０ｂの判定結果に基づき、利用者が第１属性に属さないと判定された場合（ステップＳ１２：ＮＯ）、第３スピーカ４１および第４スピーカ４２を動作させる（ステップＳ１４）。
【００７４】
このような構成によれば、自動改札機Ｇの利用者の利便性のさらなる向上を図ることができる。すなわち、本実施形態の自動改札機Ｇは、指向性の第３スピーカ４１と、読取部（磁気券処理部１４またはＩＣカードＩ／Ｆ部１５）と、制御部１０とを有する。第３スピーカ４１は、第１筐体１１の側面部１１ｂに設けられ、第１スピーカ１８に比べて低い高さに向けられている。前記読取部は、第１通路Ｒ１に進入する利用者の媒体から利用者の属性に関する情報を取得する。制御部１０は、前記読取部が取得する前記利用者の属性に関する情報に基づき、第１スピーカ１８および第３スピーカ４１のいずれかを選択して動作させる。
【００７５】
上記の構成によれば、異なる放音角度で設置された第１スピーカ１８および第３スピーカ４１のいずれかのスピーカを選択して、案内を出力することができる。例えば、大人の利用者に対しては、平均的な身長の大人の頭部に向けられた第１スピーカ１８から案内を出力することができる。また、子供の利用者に対しては、第１スピーカ１８に比べて低い高さに向けられた第３スピーカ４１から案内を出力することができる。これにより、自動改札機Ｇの利用者は、自分に対する案内をさらに聞き取りやすくなる。これにより、自動改札機Ｇの利用者の利便性のさらなる向上を図ることができる。
【００７６】
（第２実施形態の変形例）
次に、図１０を参照して、第２実施形態の一つの変形例について説明する。
本変形例は、第３スピーカ４１および第４スピーカ４２の取り付け角度が、第２の実施形態とは異なる。なお、本変形例のその他の構成は、第２の実施形態の構成と同様である。そのため、第１および第２の実施形態と同様の部分の説明は省略する。
【００７７】
図１０は、本変形例の自動改札機Ｇを示す。図１０に示すように、第３スピーカ４１の指向方向Ｄ３の中心軸Ｄ３ａは、第２筐体２１の側面部２１ｂに向けられている。例えば、第３スピーカ４１の指向方向Ｄ３の中心軸Ｄ３ａは、略水平方向に向けられている。本変形例では、第３スピーカ４１の指向方向Ｄ３の中心軸Ｄ３ａの延長線Ｄ３ｅは、第２通路Ｒ２の幅方向の中心において第２通路Ｒ２の底面Ｒ２ａから２００ｃｍ未満の高さを通る。
【００７８】
同様に、例えば、第４スピーカ４２の指向方向Ｄ４の中心軸Ｄ４ａは、第１筐体１１の側面部１１ｂに向けられている。例えば、第４スピーカ４２の指向方向Ｄ４の中心軸Ｄ４ａは、略水平方向に向けられている。本変形例では、第４スピーカ４２の指向方向Ｄ４の中心軸Ｄ４ａの延長線Ｄ４ｅは、第３通路Ｒ３の幅方向の中心において第３通路Ｒ３の底面Ｒ３ａから２００ｃｍ未満の高さを通る。
また、第３スピーカ４１および第４スピーカ４２の音の大きさは、第１スピーカ１８および第２スピーカ２８の音の大きさに比べて小さく設定される。
【００７９】
図１０に示すように、本変形例では、第１筐体１１の側面部１１ｂは、防音材４５を有する。例えば、防音材４５は、ウレタン系またはスポンジ系の吸音材である。なお、防音材４５の材質は、特に限定されない。第１筐体１１の側面部１１ｂの防音材４５は、第４スピーカ４２からの音の少なくとも一部を吸収する。
同様に、第２筐体２１の側面部２１ｂは、防音材４５を有する。第２筐体２１の側面部２１ｂの防音材４５は、第３スピーカ４１からの音の少なくとも一部を吸収する。
【００８０】
このような構成によれば、自動改札機Ｇの利用者の利便性のさらなる向上を図ることができる。すなわち、本実施形態では、第３スピーカ４１および第４スピーカ４２の指向方向Ｄ３，Ｄ４の中心軸Ｄ３ａ，Ｄ４ａは、第１筐体１１の側面部１１ｂまたは第２筐体２１の側面部２１ｂに向けられている。このため、第３スピーカ４１および第４スピーカ４２からの音は、比較的低い高さを通る。このため、背が低い子供などの利用者は、音をさらに聞き取りやすくなる。
【００８１】
また本実施形態では、第１筐体１１の側面部１１ｂおよび第２筐体２１の側面部２１ｂの各々は、防音材４５を有する。防音材４５は、第３スピーカ４１および第４スピーカ４２から第２通路Ｒ２または第３通路Ｒ３に向かう音の少なくとも一部を吸収する。このため、第３スピーカ４１および第４スピーカ４２からの音は、第２通路Ｒ２および第３通路Ｒ３を通る利用者には聞こえにくい。
【００８２】
また本実施形態では、第３スピーカ４１および第４スピーカ４２からの音の大きさは、第１スピーカ１８および第２スピーカ２８からの音の大きさに比べて小さく設定される。このため、第３スピーカ４１および第４スピーカ４２からの音は、第２通路Ｒ２および第３通路Ｒ３を通る利用者にさらに聞こえにくくなる。
これらにより、上記構成によれば、自動改札機Ｇの利用者の利便性のさらなる向上を図ることができる。
【００８３】
（第３の実施形態）
次に、図１１を参照して、第３実施形態について説明する。
本実施形態は、第１ブザーおよび第２ブザーとしても指向性を有する放音器が採用される点で、第１の実施形態とは異なる。なお、本実施形態のその他の構成は、第１の実施形態の構成と同様である。そのため、第１の実施形態と同様の部分の説明は省略する。
【００８４】
図１１は、本実施形態の自動改札機Ｇを示す。図１１に示すように、本実施形態の自動改札機Ｇは、第１ブザー１９ａ，１９ｂおよび第２ブザー２９ａ，２９ｂを有する。
【００８５】
詳しく述べると、第１ブザー１９ａ，１９ｂは、第１筐体１１の側面部１１ｂに設けられる。第１ブザー１９ａ，１９ｂの各々は、「第１放音器」の他の一例である。
【００８６】
一方の第１ブザー１９ａは、第１筐体１１の第１方向Ａの中央部に比べて、第２通路口Ｐ２の近くに配置される。例えば、第１ブザー１９ａは、第１方向Ａに移動する利用者が通行不可と判定された場合に、前記第３案内を出力する。
他方の第１ブザー１９ｂは、第１筐体１１の第１方向Ａの中央部に比べて、第１通路口Ｐ１の近くに配置される。例えば、第１ブザー１９ｂは、第２方向Ｂに移動する利用者が通行不可と判定された場合に、前記第３案内を出力する。なお以下では、第１ブザー１９ａと第１ブザー１９ｂとを区別しない場合は、単に第１ブザー１９と称する。
【００８７】
同様に、第２ブザー２９ａ，２９ｂは、第２筐体２１の側面部２１ｂに設けられる。第２ブザー２９ａ，２９ｂの各々は、「第２放音器」の他の一例である。
【００８８】
一方の第２ブザー２９ａは、第２筐体２１の第１方向Ａの中央部に比べて、第２通路口Ｐ２の近くに配置される。第２ブザー２９ａは、第１ブザー１９ａとセットで用いられる。例えば、第２ブザー２９ａは、第１方向Ａに移動する利用者が通行不可と判定された場合に、第１ブザー１９ａと略同時に、前記第３案内を出力する。
他方の第２ブザー２９ｂは、第２筐体２１の第１方向Ａの中央部に比べて、第１通路口Ｐ１の近くに配置される。第２ブザー２９ｂは、第１ブザー１９ｂとセットで用いられる。第２ブザー２９ｂは、第２方向Ｂに移動する利用者が通行不可と判定された場合に、第１ブザー１９ｂと略同時に、前記第３案内を出力する。なお以下では、第２ブザー２９ａと第２ブザー２９ｂとを区別しない場合は、単に第２ブザー２９と称する。
【００８９】
第１ブザー１９および第２ブザー２９の各々は、第１スピーカ１８および第２スピーカ２８と同様に、指向性スピーカである。第１ブザー１９は、指向方向Ｄ５を斜め上方に向けて取り付けられる。同様に、第２ブザー２９は、指向方向Ｄ６を斜め上方に向けて取り付けられる。すなわち、第１ブザー１９および第２ブザー２９は、指向方向Ｄ５，Ｄ６を第１通路Ｒ１の上方に向けている。例えば、第１ブザー１９および第２ブザー２９は、平均的な身長の大人の頭部の高さに音が届くように傾けて取り付けられる。具体的には、第１ブザー１９および第２ブザー２９は、指向方向Ｄ５，Ｄ６の中心軸Ｄ５ａ，Ｄ６ａの延長線Ｄ５ｅ，Ｄ６ｅが、第１通路Ｒ１の幅方向の中心において第１通路Ｒ１の底面Ｒ１ａから、１５５ｃｍから１７５ｃｍの間の高さを通るように傾けて取り付けられる。なお、第１ブザー１９および第２ブザー２９の放音角度は、上記例に限定されない。
【００９０】
さらに、第１ブザー１９および第２ブザー２９は、以下の条件も満たすように配置される。すなわち、第１ブザー１９は、指向方向Ｄ５の中心軸Ｄ５ａの延長線Ｄ５ｅが、第２通路Ｒ２の幅方向の中心において、第２通路Ｒ２の底面Ｒ２ａから２００ｃｍ以上の高さを通るように傾けて取り付けられる。
同様に、第２ブザー２９は、指向方向Ｄ６の中心軸Ｄ６ａの延長線Ｄ６ｅが、第３通路Ｒ３の幅方向の中心において、第３通路Ｒ３の底面Ｒ３ａから２００ｃｍ以上の高さを通るように傾けて取り付けられる。
【００９１】
このような構成によれば、第１ブザー１９および第２ブザー２９からの音は、第１通路Ｒ１を通る利用者には聞こえやすくなる。一方で、第１ブザー１９および第２ブザー２９からの音は、第２通路Ｒ２および第３通路Ｒ３を通る利用者には聞こえにくくなる。これにより、利用者の誤認識を抑制することができる。これにより、自動改札機Ｇの利用者の利便性のさらなる向上を図ることができる。
【００９２】
（第４の実施形態）
次に、図１２から図１４を参照して、第４実施形態の自動改札機Ｇについて説明する。
本実施形態は、利用者に関する情報に基づいてスピーカの指向方向が変更される点で、第１の実施形態とは異なる。なお、本実施形態のその他の構成は、第１の実施形態の構成と同様である。そのため、第１の実施形態と同様の部分の説明は省略する。
【００９３】
図１２は、本実施形態の自動改札機Ｇを示す。図１２に示すように、本実施形態の第１スピーカ１８および第２スピーカ２８の各々は、複数の指向方向を有する。例えば、第１スピーカ１８は、第１指向方向Ｄ１１と、第２指向方向Ｄ１２とに放音可能である。第２スピーカ２８は、第１指向方向Ｄ２１と、第２指向方向Ｄ２２とに放音可能である。例えば、第１スピーカ１８および第２スピーカ２８は、モータなどで放音面の角度を機械的に変えることで複数の指向方向に放音可能である。これに代えて、第１スピーカ１８および第２スピーカ２８は、第１指向方向Ｄ１１，Ｄ２１に放音可能な第１スピーカ部品と、第２指向方向Ｄ１２，Ｄ２２に放音可能な第２スピーカ部品とを併せ持つことで複数の指向方向に放音可能でもよい。
【００９４】
図１２に示すように、例えば、第１指向方向Ｄ１１，Ｄ２１の中心軸Ｄ１１ａ，Ｄ２１ａの延長線Ｄ１１ｅ，Ｄ２１ｅは、第１通路Ｒ１の幅方向の中心において第１通路Ｒ１の底面Ｒ１ａから、１５５ｃｍから１６５ｃｍの間の高さを通る。一方で、第２指向方向Ｄ１２，Ｄ２２の中心軸Ｄ１２ａ，Ｄ２２ａの延長線Ｄ１２ｅ，Ｄ２２ｅは、第１通路Ｒ１の幅方向の中心において第１通路Ｒ１の底面Ｒ１ａから、１６５ｃｍから１７５ｃｍの間の高さを通る。なお、第１スピーカ１８および第２スピーカ２８の放音角度は、上記例に限定されない。
【００９５】
第１スピーカ１８の第１指向方向Ｄ１１および第２指向方向Ｄ１２の中心軸Ｄ１１ａ，Ｄ１２ａの延長線Ｄ１１ｅ，Ｄ１２ｅは、第２通路Ｒ２の幅方向の中心において、第２通路Ｒ２の底面Ｒ２ａから２００ｃｍ以上の高さを通る。同様に、第２スピーカ２８の第１指向方向Ｄ２１および第２指向方向Ｄ２２の中心軸Ｄ２１ａ，Ｄ２２ａの延長線Ｄ２１ｅ，Ｄ２２ｅは、第３通路Ｒ３の幅方向の中心において、第３通路Ｒ３の底面Ｒ３ａから２００ｃｍ以上の高さを通る。
【００９６】
次に、本実施形態で用いられる利用者の媒体について説明する。
図１３は、ＩＣカードＣの構成を示す。ＩＣカードＣは、利用者の媒体の一例である。図１３に示すように、本実施形態のＩＣカードＣは、記憶部５１、アンテナ５２、および制御部（制御回路）５３を有する。
【００９７】
例えば、記憶部５１は、半導体メモリで形成される。本実施形態のＩＣカードＣの記憶部５１は、カスタマイズ用のビットエリア５１ａを有する。ビットエリア５１ａには、利用者に関する情報を登録可能である。利用者に関する情報の一例は、利用者の身長に関する情報である。なお、利用者に関する情報は、上記例に限定されない。利用者に関する情報は、利用者の性別に関する情報などでもよい。
【００９８】
アンテナ５２は、自動改札機ＧのＩＣカードＩ／Ｆ部１５と通信可能である。
制御部５３は、アンテナ５２を通じて、記憶部５１に記憶された情報を自動改札機Ｇに送信可能である。
【００９９】
なお、利用者の媒体は、ＩＣカードＣに限定されない。自動改札機Ｇの処理に用いられる媒体は、携帯電話（スマートフォン）またはウェアラブルデバイスのような携帯端末Ｔでもよい。携帯端末Ｔは、ＩＣカードＣと同様に、記憶部５１、アンテナ５２、および制御部５３を有する。記憶部５１のビットエリア５１ａには、利用者に関する情報を登録可能である。
【０１００】
携帯端末Ｔは、自動改札機ＧのＩＣカードＩ／Ｆ部１５にかざされて、ＩＣカードＩ／Ｆ部１５と通信することで、自動改札機Ｇに情報を送信してもよい。これに代えて、例えば、携帯端末Ｔは、利用者のカバンまたはポケットに収納された状態で、自動改札機Ｇの無線通信部５５（図１２参照）と通信することで、自動改札機Ｇに情報を送信してもよい。例えば、無線通信部５５は、Ｂｌｕｅｔｏｏｔｈ（登録商標）またはＷｉ−Ｆｉ（登録商標）に対応したアンテナである。なお以下では、ＩＣカードＣと携帯端末Ｔとを併せて「媒体Ｍ」と称する。
【０１０１】
本実施形態では、ＩＣカードＩ／Ｆ部１５および無線通信部５５の各々は、「読取部」の一例である。ＩＣカードＩ／Ｆ部１５および無線通信部５５の各々は、利用者の媒体Ｍの記憶部５１から利用者に関する情報を取得する。
自動改札機Ｇの制御部１０は、ＩＣカードＩ／Ｆ部１５または無線通信部５５が取得する利用者に関する情報に基づき、複数の指向方向Ｄ１１，Ｄ１２から少なくとも一つの指向方向を選択して第１スピーカ１８を動作させる。また、制御部１０は、ＩＣカードＩ／Ｆ部１５または無線通信部５５が取得する利用者に関する情報に基づき、複数の指向方向Ｄ２１，Ｄ２２から少なくとも一つの指向方向を選択して第２スピーカ２８を動作させる。
【０１０２】
以下に、本実施形態の制御フローについて詳しく説明する。
図１４は、本実施形態の制御フローの一例を示す。図１４に示すように、まず、ＩＣカードＩ／Ｆ部１５または無線通信部５５が、利用者の媒体Ｍの記憶部５１から利用者に関する情報を取得する（ステップＳ２１）。例えば、ＩＣカードＩ／Ｆ部１５または無線通信部５５は、利用者の媒体Ｍの記憶部５１から利用者の身長に関する情報を取得する。
【０１０３】
次に、判定部１０ｂは、ＩＣカードＩ／Ｆ部１５または無線通信部５５が取得する利用者に関する情報に基づき、前記利用者に関する情報が予め設定される所定の条件を満たすか否かを判定する（ステップＳ２２）。前記所定の条件の一例は、利用者の身長が所定の高さ以下であることである。また、前記所定の高さの一例は、第１通路Ｒ１の幅方向の中心における第１指向方向Ｄ１１の中心軸Ｄ１１ａの延長線Ｄ１１ｅと第２指向方向Ｄ１２の中心軸Ｄ１２ａの延長線Ｄ１２ｅとの間の真ん中の高さ（本実施形態では１６５ｃｍ）である。
【０１０４】
そして、制御部１０は、判定部１０ｂの判定結果に基づき、前記所定の条件が満たされる場合（例えば利用者の身長が所定の高さ以下である場合）（ステップＳ２２：ＹＥＳ）に、第１指向方向Ｄ１１，Ｄ２１に向けて第１スピーカ１８および第２スピーカ２８を放音させる（ステップＳ２３）。一方で、制御部１０は、判定部１０ｂの判定結果に基づき、前記所定の条件が満たされない場合（例えば利用者の身長が所定の高さを越えている場合）（ステップＳ２２：ＮＯ）に、第２指向方向Ｄ１２，Ｄ２２に向けて第１スピーカ１８および第２スピーカ２８を放音させる（ステップＳ２４）。
【０１０５】
このような構成によれば、自動改札機Ｇの利用者の利便性のさらなる向上を図ることができる。すなわち本実施形態の自動改札機Ｇは、読取部（ＩＣカードＩ／Ｆ部１５または無線通信部５５）を備える。前記読取部は、第１通路Ｒ１に進入する利用者の媒体Ｍから利用者に関する情報を取得する。第１スピーカ１８は、複数の指向方向Ｄ１１，Ｄ１２に放音可能である。制御部１０は、前記読取部が取得する利用者に関する情報に基づき、複数の指向方向Ｄ１１，Ｄ１２から少なくとも一つの指向方向を選択して第１スピーカ１８を動作させる。
【０１０６】
このような構成によれば、利用者に対して個別に適切な角度で案内を出力することができる。これにより、利用者は、自分に対する案内をさらに聞き取りやすくなる。これにより、自動改札機Ｇの利用者の利便性のさらなる向上を図ることができる。
【０１０７】
本実施形態では、媒体Ｍは、利用者の身長に関する情報を登録可能な記憶部５１を有する。前記読取部は、媒体Ｍから利用者の身長に関する情報を取得する。制御部１０は、前記読取部が取得する利用者の身長に関する情報に基づき、複数の指向方向Ｄ１１，Ｄ１２から少なくとも一つの指向方向を選択して第１スピーカ１８を動作させる。
このような構成によれば、利用者の身長に対して個別に適切な角度で案内を出力することができる。これにより、自動改札機Ｇの利用者の利便性のさらなる向上を図ることができる。
【０１０８】
（第４の実施形態の変形例）
次に、第４実施形態の自動改札機Ｇの変形例について説明する。
本変形例は、利用者が登録する身長以外の設定に基づいてスピーカの指向方向が変更される点で、第４の実施形態とは異なる。なお、本変形例のその他の構成は、第４の実施形態の構成と同様である。そのため、第１および第４の実施形態と同様の部分の説明は省略する。
【０１０９】
本変形例の媒体Ｍの記憶部５１のビットエリア５１ａには、音による案内の放音角度および音の大きさについての利用者の設定を登録可能である。すなわち、利用者は、第１スピーカ１８および第２スピーカ２８の放音角度、並びに、第１スピーカ１８および第２スピーカ２８の音の大きさの嗜好を媒体Ｍの記憶部５１のビットエリア５１ａに登録可能である。
【０１１０】
ＩＣカードＩ／Ｆ部１５または無線通信部５５は、利用者の媒体Ｍの記憶部５１から利用者の前記設定に関する情報を取得する。制御部１０は、ＩＣカードＩ／Ｆ部１５または無線通信部５５が取得する利用者の前記設定に関する情報に基づき、複数の指向方向Ｄ１１，Ｄ１２から少なくとも一つの指向方向を選択して第１スピーカ１８を動作させる。同様に、制御部１０は、ＩＣカードＩ／Ｆ部１５または無線通信部５５が取得する利用者の前記設定に関する情報に基づき、複数の指向方向Ｄ２１，Ｄ２２から少なくとも一つの指向方向を選択して第２スピーカ２８を動作させる。すなわち、制御部１０は、媒体Ｍの記憶部５１に登録される放音角度の設定に応じた放音角度を選択して第１スピーカ１８および第２スピーカ２８を動作させる。さらに、制御部１０は、媒体Ｍの記憶部５１に登録される音の大きさの設定に応じた音の大きさで第１スピーカ１８および第２スピーカ２８を動作させる。
【０１１１】
このような構成によれば、利用者の嗜好に応じて個別に適切な放音角度および音の大きさで案内を出力することができる。これにより、自動改札機Ｇの利用者の利便性のさらなる向上を図ることができる。
【０１１２】
（第５の実施形態）
次に、図１５を参照して、第５実施形態の自動改札機Ｇについて説明する。
本実施形態は、間接リスニングを利用する点で、第１の実施形態とは異なる。なお、本実施形態のその他の構成は、第１の実施形態の構成と同様である。そのため、第１の実施形態と同様の部分の説明は省略する。
【０１１３】
図１５は、本実施形態の自動改札機Ｇを示す。
ここで図１５に示すように、本実施形態では、第２通路Ｒ２および第３通路Ｒ３の位置が第１の実施形態と逆になる。すなわち、第２通路Ｒ２は、第１通路Ｒ１を規定する自動改札機Ｇの第２筐体２１とは反対側で第１通路Ｒ１の隣に設けられる通路である。また、第３通路Ｒ３は、第１通路Ｒ１を規定する自動改札機Ｇの第１筐体１１とは反対側で第１通路Ｒ１の隣に設けられる通路である。
【０１１４】
本実施形態では、第１スピーカ１８および第２スピーカ２８は、扉１７ａ，１７ｂ，２７ａ，２７ｂよりも下方に配置される。また、別の観点では、第１スピーカ１８および第２スピーカ２８は、制御部１０よりも下方に配置される。例えば、第１スピーカ１８および第２スピーカ２８は、制御部１０のＣＰＵ１０ａよりも下方に配置される。
【０１１５】
第１スピーカ１８および第２スピーカ２８は、指向方向Ｄ１，Ｄ２を斜め上方に向けて取り付けられる。第１スピーカ１８の指向方向Ｄ１の中心軸Ｄ１ａは、第２筐体２１の側面部２１ｂに向けられている。本実施形態では、第１スピーカ１８は、第２筐体２１の側面部２１ｂに向けて放音する。第１スピーカ１８からの音は、第２筐体２１の側面部２１ｂで反射される。本実施形態では、第２筐体２１の側面部２１ｂで反射した音の指向方向Ｄ１の中心軸Ｄ１ａの延長線Ｄ１ｅは、第２通路Ｒ２の幅方向の中心において、第２通路Ｒ２の底面Ｒ２ａから２００ｃｍ以上の高さを通る。
なお、第２筐体２１の側面部２１ｂで反射した音の指向方向Ｄ１の中心軸Ｄ１ａの延長線Ｄ１ｅは、第１スピーカ１８から延びる指向方向Ｄ１の中心軸Ｄ１ａの延長線Ｄ１ｅを、第２筐体２１の側面部２１ｂで折り返すことで幾何学的に算出することができる。
【０１１６】
同様に、第２スピーカ２８の指向方向Ｄ２の中心軸Ｄ２ａは、第１筐体１１の側面部１１ｂに向けられている。本実施形態では、第２スピーカ２８は、第１筐体１１の側面部１１ｂに向けて放音する。第２スピーカ２８からの音は、第１筐体１１の側面部１１ｂで反射される。本実施形態では、第１筐体１１の側面部１１ｂで反射した音の指向方向Ｄ２の中心軸Ｄ２ａの延長線Ｄ２ｅは、第３通路Ｒ３の幅方向の中心において、第３通路Ｒ３の底面Ｒ３ａから２００ｃｍ以上の高さを通る。
なお、第１筐体１１の側面部１１ｂで反射した音の指向方向Ｄ２の中心軸Ｄ２ａの延長線Ｄ２ｅは、第２スピーカ２８から延びる指向方向Ｄ２の中心軸Ｄ２ａの延長線Ｄ２ｅを、第１筐体１１の側面部１１ｂで折り返すことで幾何学的に算出することができる。
【０１１７】
このような構成によれば、１つのスピーカで２段階の高さに案内を提供することが可能となる。このため、利用者の様々な身長に幅広く対応することができる。これにより、自動改札機Ｇの利用者の利便性のさらなる向上を図ることができる。
【０１１８】
（第６の実施形態）
次に、図１６を参照して、第６実施形態の自動改札機Ｇについて説明する。
本実施形態は、駅構内の天井にスピーカが設けられた点で、第１の実施形態とは異なる。なお、本実施形態のその他の構成は、第１の実施形態の構成と同様である。そのため、第１の実施形態と同様の部分の説明は省略する。
【０１１９】
図１６は、本実施形態の自動改札機Ｇを示す。図１６に示すように、本実施形態のスピーカ１８は、駅構内の天井６０に設けられている。スピーカ１８は、通路Ｒ１，Ｒ２，Ｒ３の各々の真上に設置され、下方に向けられている。各スピーカ１８には、第１無線通信部６１が接続されている。
【０１２０】
図１６に示すように、自動改札機Ｇは、第１無線通信部６１と通信可能な第２無線通信部６２を有する。制御部１０は、第１無線通信部６１および第２無線通信部６２を介して、スピーカ１８に制御指令を送信する。なお。第１無線通信部６１および第２無線通信部６２の各々は、ＢｌｕｅｔｏｏｔｈまたはＷｉ−Ｆｉに対応したアンテナである。
【０１２１】
このような構成によれば、第１通路Ｒ１に対応した配置されたスピーカ１８からの音は、第２通路Ｒ２および第３通路Ｒ３の利用者には聞こえにくい。また、通路Ｒ１の真上にスピーカ１８が設置されると、身長差による案内の聞き取りにくさの違いをさらに解消することができる。
【０１２２】
（第７の実施形態）
次に、図１７を参照して、第７実施形態の自動改札機Ｇについて説明する。
本実施形態は、各通路の底面にスピーカが設けられた点で、第６の実施形態とは異なる。なお、本実施形態のその他の構成は、第６の実施形態の構成と同様である。そのため、第１および第６の実施形態と同様の部分の説明は省略する。
【０１２３】
図１７は、本実施形態の自動改札機Ｇを示す。図１７に示すように、本実施形態のスピーカ１８，２８は、通路Ｒ１，Ｒ２，Ｒ３の底面Ｒ１ａ，Ｒ２ａ，Ｒ３ａの各々に設置される。具体的には、各通路Ｒ１，Ｒ２，Ｒ３には、底面Ｒ１ａ，Ｒ２ａ，Ｒ３ａを形成する架台７０が設けられる。スピーカ１８，２８は、架台７０の下方の隙間に設置される。スピーカ１８，２８と制御部１０との間には、ケーブル７１が設けられる。ケーブル７１は、架台７０の下方を通って第１筐体１１の内部に延びている。ケーブル７１は、スピーカ１８，２８と制御部１０とを電気的に接続する。なお、スピーカ１８，２８と制御部１０とは、第６実施形態と同様に、第１無線通信部６１および第２無線通信部６２を介して接続されてもよい。
【０１２４】
このような構成によれば、第１通路Ｒ１に対応した配置されたスピーカ１８，２８からの音は、第２通路Ｒ２および第３通路Ｒ３の利用者には聞こえにくい。また、通路Ｒ１の底面Ｒ１ａにスピーカ１８，２８が設置されると、身長差による案内の聞き取りにくさの違いをさらに解消することができる。
【０１２５】
以上、第１から第７の実施形態について説明したが、自動改札機Ｇの実施形態は、上記に限定されない。これらの構成は、互いに組み合わせて適用可能である。例えば、第２実施形態の自動改札機Ｇは、第１スピーカ１８および第３スピーカ４１を備えることに代え、複数の指向方向Ｄ１１，Ｄ１２に放音可能な第１スピーカ１８を備えてもよい。すなわち、自動改札機Ｇは、利用者の属性（例えば大人または子供）に関する情報に基づき、複数の指向方向Ｄ１１，Ｄ１２から前記利用者の属性に好適な少なくとも一つの指向方向を選択して第１スピーカ１８を動作させてもよい。
また、例えば、第４実施形態の自動改札機Ｇは、複数の指向方向Ｄ１１，Ｄ１２に放音可能な第１スピーカ１８を備えることに代えて、互いに異なる方向に向けて取り付けられる第１スピーカ１８および第３スピーカ４１を備えてもよい。すなわち、自動改札機Ｇは、利用者に関する情報（例えば利用者の身長に関する情報または放音角度についての利用者の設定）に基づき、第１スピーカ１８および第３スピーカ４１のいずれかを選択して動作させてもよい。また、上記の第２、第４、第５、第６、および第７の実施形態は、第１スピーカ１８および第２スピーカ２８に代えて、第１ブザー１９および第２ブザー２９にも適用可能である。
【０１２６】
以上説明した少なくともひとつの実施形態によれば、自動改札機は、第１筐体と、指向性の第１放音器とを持つ。前記第１筐体は、第１通路の第１側方に配置される。前記第１筐体は、前記第１通路に対面する側面部を有する。前記第１放音器は、前記第１筐体の前記側面部に設けられる。前記第１放音器は、指向方向を斜め上方に向けるとともに、前記指向方向の中心軸の延長線が、前記第１通路の隣に設けられる第２通路の幅方向の中心において前記第２通路の底面から２００ｃｍ以上の高さを通るように取り付けられる。このような構成によれば、自動改札機Ｇの利用者の利便性の向上を図ることができる。
【０１２７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２８】
Ｇ…自動改札機、１０…制御部、１１…第１筐体、１１ｂ…側面部、１４…磁気券処理部（読取部）、１５…ＩＣカードＩ／Ｆ部（読取部）、１８，１８ａ，１８ｂ…第１スピーカ（第１放音器）、１９，１９ａ，１９ｂ…第１ブザー（第１放音器）、２１…第２筐体、２１ｂ…側面部、２８，２８ａ，２８ｂ…第２スピーカ（第２放音器）、２９，２９ａ，２９ｂ…第２ブザー（第２放音器）、４１…第３スピーカ（第３放音器）、４２…第４スピーカ（第４放音器）、４５…防音材、５５…無線通信部（読取部）、Ｄ１，Ｄ１１，Ｄ１２，Ｄ２，Ｄ２１，Ｄ２２，Ｄ３，Ｄ４…指向方向、Ｄ１ａ，Ｄ１１ａ，Ｄ１２ａ，Ｄ２ａ，Ｄ２１ａ，Ｄ２２ａ，Ｄ３ａ，Ｄ４ａ…指向方向の中心軸、Ｄ１ｅ，Ｄ１１ｅ，Ｄ１２ｅ，Ｄ２ｅ，Ｄ２１ｅ，Ｄ２２ｅ，Ｄ３ｅ，Ｄ４ｅ…指向方向の中心軸の延長線、Ｒ１…第１通路、Ｒ２…第２通路、Ｒ３…第３通路。
【図１】
0006545982.tif 000002
【図２】
0006545982.tif 000003
【図３】
0006545982.tif 000004
【図４】
0006545982.tif 000005
【図５】
0006545982.tif 000006
【図６】
0006545982.tif 000007
【図７】
0006545982.tif 000008
【図８】
0006545982.tif 000009
【図９】
0006545982.tif 000010
【図１０】
0006545982.tif 000011
【図１１】
0006545982.tif 000012
【図１２】
0006545982.tif 000013
【図１３】
0006545982.tif 000014
【図１４】
0006545982.tif 000015
【図１５】
0006545982.tif 000016
【図１６】
0006545982.tif 000017
【図１７】
0006545982.tif 000018